(57)【要約】 【課題】本発明は、乾燥し易いインクを使用している筆記具において、当該乾燥による劣化の防止が図られるようにした新規な筆記具の提供を図る。【解決手段】  乾燥し易いインクを使用しておりかつ押し出し操作で出没する複数のペン先を具えた筆記具であって、軸筒１内に対する空気流通を断ち、これに依り当該軸筒１内にある芯軸のペン先に対する乾燥防止を図るように構成した筆記具。【選択図】  図１
2015136869.tif 000002
【特許請求の範囲】
【請求項１】
乾燥し易いインクを使用しかつ押し出し操作で出没する複数のペン先を具えた筆記具であって、軸筒(１)内に対する空気流通を断ち、これに依り当該軸筒(１)内にある芯軸のペン先に対する乾燥防止を図るように構成した筆記具。
【請求項２】
上端を閉鎖端とする軸筒(１)の先端側における空気流通阻止のための手段として、キャップによる閉鎖に基づき行い、また、軸筒(１)の上端側において空気流通が成される部分である押し込み用摺動レバー(９及び10)の作動用軸体(9a)及び(10a)の貫通部分の間隙に対して、密封用シール手段を施すように構成した請求項１に記載の筆記具。
【請求項３】
軸筒(１)の上端側において空気流通が成される部分である押し込み用摺動レバー(９及び10)の作動用軸体(9a及び10a)の貫通部分の間隙に対する密封用シール手段として、作動用軸体(9a及び10a)に対して、蛇腹状を呈する伸縮自在なパイプ状被覆(11及び12)を被せることによって、外気からの遮断状態に保持するように構成した請求項１または請求項２の何れかに記載の筆記具。
【発明の詳細な説明】
【技術分野】
【０００１】
本発明は、乾燥し易いインクを使用している筆記具において、当該乾燥によるインク劣化を防止が図られるようにした筆記具に関する。
【背景技術】
【０００２】
従来、乾燥し易いインクを使用しているサインペンのような筆記具において、当該乾燥阻止のための手段は、専らペン先部分からのインク蒸発を阻止するように構成したものであった（例えば特許文献及び特許文献２参照。）。
【先行技術文献】
【特許文献】
【０００３】
【特許文献１】特開平８−２８２１７５号公報
【特許文献２】特開２００５−２２１３８号公報
【発明の概要】
【発明が解決しようとする課題】
【０００４】
上述したようにインクの乾燥を防ぐための手段として、専らペン先部分からのインク蒸発を阻止するような手段を採ることは、複数本の芯軸を切り替え的に突出させるように構成したものにあっては極めて困難とされた。  すなわち、軸筒の内部に引っ込まされており、かつ切り替えに伴い上下に移動する可動部材であるペン先部分を、空気に触れないようにシールすることは極めて困難とされた。
【０００５】
換言すると、筆記体の軸筒の先端から突出状態にあるペン先部分は、これをシールすることは容易であっても、軸筒内に引っ込んでいるペン先部分をシールすることは極めて困難とされるからである。
【０００６】
本発明は、軸筒内を気密に保つよう構成することにより、その内部に留まっているペン先部分に対するシール的作用が奏されるように構成し、以て、複数本の芯材を切り替え的に突出させるように構成した筆記具にあっても、その各ペン先部に対するシール目的が達成される、と言うような新規の筆記具の提供を図ったものである。
【課題を解決するための手段】
【０００７】
本発明は請求項１に記載のように、乾燥し易いインクを使用しかつ押し出し操作で出没する複数のペン先を具えた筆記具であって、軸筒１内に対する空気流通を断ち、これに依り当該軸筒１内にある芯軸のペン先に対する乾燥防止を図るように構成した筆記具に係る。
【０００８】
本発明は請求項２に記載のように、上端を閉鎖端とする軸筒１の先端側における空気流通阻止のための手段として、キャップによる閉鎖に基づき行い、また、軸筒１の上端側において空気流通が成される部分である押し込み用摺動レバー９及び10の作動用軸体9a及び10aの貫通部分の間隙に対して、密封用シール手段を施すように構成した請求項１に記載の筆記具を実施の態様とする。
【０００９】
本発明は請求項３に記載のように、軸筒１の上端側において空気流通が成される部分である押し込み用摺動レバー９及び10の作動用軸体9a及び10aの貫通部分の間隙に対する密封用シール手段として、作動用軸体9a及び10aに対して、蛇腹状を呈する伸縮自在なパイプ状被覆11及び12を被せることによって、外気からの遮断状態に保持するように構成した請求項１または請求項２の何れかに記載の筆記具を実施の態様とする。
【発明の効果】
【００１０】
本発明は請求項１に記載のような構成、すなわち、乾燥し易いインクを使用しかつ押し出し操作で出没する複数のペン先を具えた筆記具であって、軸筒１内に対する空気流通を断ち、これに依り当該軸筒１内にある芯軸のペン先に対する乾燥防止を図るように構成したから、軸筒１内に対する収容状態にある芯軸のペン先部に対する流通空気の衝接に基づく乾燥化というような問題がよく回避される。  従って、当該乾燥化に基づく筆記の阻害性と言うような問題はよく解消されることとなる。
【００１１】
本発明は請求項２に記載のような構成、すなわち、上端を閉鎖端とする軸筒１の先端側における空気流通阻止のための手段として、キャップによる閉鎖に基づき行い、また、軸筒１の上端側において空気流通が成される部分である押し込み用摺動レバー９及び10の作動用軸体9a及び10aの貫通部分の間隙に対して、密封用シール手段を施すように構成したから、軸筒１内に対する空気流通阻止が極めて合理的かつ容易に達成されることとなる。
【００１２】
本発明は請求項３に記載のような構成、すなわち、軸筒１の上端側において空気流通が成される部分である押し込み用摺動レバー９及び10の作動用軸体9a及び10aの貫通部分の間隙に対する密封用シール手段として、作動用軸体9a及び10aに対して、蛇腹状を呈する伸縮自在なパイプ状被覆11及び12を被せることによって、外気からの遮断状態に保持するように構成したから、押し込み用摺動レバー９及び10の作動用軸体9a及び10aの貫通部分の間隙部分に対するシール目的が、当該押し込み用摺動レバー９及び10の昇降作動を阻害することなく可能化されると共に、当該部分のシール効果の万全化が図られる。
【図面の簡単な説明】
【００１３】
【図１】本発明の内部機構を表した説明用平面図である。
【図２】本発明の内部機構を表した説明用右側面図である。
【図３】本発明の内部機構を表した説明用背面図である。
【図４】本発明の内部機構を表した説明用正面図である。
【発明を実施するための形態】
【００１４】
図において、１は軸筒であって、当該軸筒１内にはその軸線方向に第１芯軸２及び第２芯軸３が摺動自在に収装してある。  2a及び3aは第１芯軸２及び第２芯軸３に夫々作用させたコイルスプリングであって、各芯軸を夫々引っ込まし方向に引っ張るような力を付与している。  2bは第１芯軸２のペン先部、3bは第２芯軸のペン先部であって、軸筒１の先端から突出させてあるペン先部に対しては、キャップ４が着脱自在に被着されるように構成してある。
【００１５】
５及び６は第１芯軸２及び第２芯軸３の基端部に搖動自在に装着したロック片であって、一方の芯軸を先端方向に突出させた際に、これに装着されているロック片が、他方の芯軸に装着されているロック片と係合して、当該突出芯軸の突出状態での安定化を図るように構成してある。  Ａは両ロック片５,６の係合機構部を表し、Ｂは一方のロック片を進出状態で停止させるためのストッパー機構部を示す。  また、5a及び6aは各ロック片５,６に形成したバネ片部であって、軸筒１の内壁に弾接させることによって、各ロック片５,６の搖動の自在性が図られるように構成してある。
【００１６】
なお、上記したロック片による芯軸の進退制御を行うような機構の概略的動きは、後退位置にあるロック片を前進させることにより、前進位置にあるロック片の停止を解除して後方に入れ違うように移動させ、これにより、芯軸の切替えを行わせるような作動を呈するものである。
【００１７】
ところで、上記したロック片５,６は第１芯軸２及び第２芯軸３の出没運動の制御を司るものであり、そのための一つの手段として提示したに過ぎない。  そして、当該手段は公知技術に属し、本発明はこの部分に構成上の特徴とするものではない。  従って、当該部分は他の技術手段に委ねることも可とする。  そして、本発明は芯軸を複数本とした筆記具を実施対象とするものであり、当該芯軸は図示のように２本に限定されるものではなく、これ以上であっても可とする。
【００１８】
図１に於いて、７及び８は軸筒１の上半部に形成した凹窪部、９及び10は当該凹窪部７及び８内に昇降自在に収装した押し込み用摺動レバーであって、その下半部は作動用軸体9a及び10aとするように構成してある。  そして、当該作動用軸体9a及び10aは、上記凹窪部７及び８の端面板部7a及び8aを摺動自在に貫通させて軸筒１内に突入させると共に、第１芯軸２及び第２芯軸３に対して連動可能に連結してある。  Ｃはその貫通部分を示すものであって、通常であれば、当該貫通部分Ｃを経て軸筒１の内部空間Ｄに対する空気流通が成されるため、内部空間Ｄ内にある芯軸のペン先部を乾燥させてしまい、書き味の劣化が生じてしまうこととなる。
本発明はこのようなペン先部の乾燥を阻止するように構成したことを特徴とするものであり、下記のような構成を要旨とするものである。
【００１９】
すなわち、本発明の骨子とするところは、軸筒１の内部に対する空気流通を断ち、これにより、当該軸筒１内に位置する芯軸のペン先部に対する乾燥を阻止するように構成したものである。
【００２０】
そして、軸筒１の先端部閉鎖はキャップ手段に基づき行い、また、軸筒１の上端側において空気流通が成される部分である上記貫通部分Ｃ、すなわち、押し込み用摺動レバー９及び10の作動用軸体9a及び10aの貫通部分の間隙、換言すると作動用軸体9a及び10aの昇降運動を阻害しないために必然的に形成される間隙に対して、所定の密封用シール手段を施すことを本発明の要部とするものである。  なお、この場合、軸筒１の上端は成形的に閉鎖されているものとする。
【００２１】
本発明において具体的には、上記したシール手段として、図１に示すように、作動用軸体9a及び10aに対して、蛇腹状を呈する伸縮自在なパイプ状被覆11及び12を被せることによって、外気からの遮断状態に保持するように構成したことを特徴とするものである。  すなわち、このような構成を採ることにより、既述した貫通部分Ｃ部分に対する気密性は、当該パイプ状被覆11及び12の伸縮性に基づき、作動用軸体9a及び10aの昇降運動を阻害することなく確保することが出来、これにより、軸筒１内に対する空気流通が阻止状態に保たれる。
【００２２】
なお、図示の実施例にあっては、２本の芯軸を具えた筆記体としてあるが、２本以上の芯軸を具えた筆記体においても実施可能とするものである。
【符号の説明】
【００２３】
１  軸筒
２  第１芯軸
2a  コイルスプリング
2b  ペン先部
３  第２芯軸
3a  コイルスプリング
3b  ペン先部
４  キャップ
５  ロック片
5a  バネ片部
６  ロック片
6a  バネ片部
Ａ  係合機構部
Ｂ  ストッパー機構部
７  凹窪部
7a  端面板部
８  凹窪部
8a端面板部
９  押し込み用摺動レバー
9a  作動用軸体
10  押し込み用摺動レバー
10ａ作動用軸体
Ｃ  貫通部分
Ｄ  内部空間
11  パイプ状被覆
12 パイプ状被覆
【図１】
2015136869.tif 000003
【図２】
2015136869.tif 000004
【図３】
2015136869.tif 000005
【図４】
2015136869.tif 000006